(57)【要約】【課題】限られた設置場所になるべく多くの太陽電池パネル支持構造が配列された太陽光発電設備を提供する。【解決手段】複数の太陽電池パネル支持構造１０が配列された太陽光発電設備１は、複数の太陽電池パネル支持構造１０それぞれが、隣接する太陽電池パネル支持構造１０の影ＳＤ１が落ち得る第１領域１１に配置され、当該影ＳＤ１の方向に延在する短冊状の薄膜セルが、その幅方向に複数配列された薄膜系太陽電池パネル１１０と、第１領域１１から外れた第２領域１２に配置された結晶系太陽電池パネル１２０と、を備えたものであることを特徴とする。【選択図】図１
2018117487.tif 000002
【特許請求の範囲】
【請求項１】
複数の太陽電池パネル支持構造が配列された太陽光発電設備であって、
前記複数の太陽電池支持構造それぞれが、
隣接する太陽電池パネル支持構造の影が落ち得る第１領域に少なくとも配置され、当該影の方向に延在する短冊状の薄膜セルが、その幅方向に複数配列された薄膜系太陽電池パネルと、
前記第１領域から外れた第２領域に配置された結晶系太陽電池パネルと、を備えたものであることを特徴とする太陽光発電設備。
【請求項２】
前記薄膜系太陽電池パネル及び前記結晶系太陽電池パネルが所定の傾斜方向に傾斜配置され、
前記複数の太陽電池支持構造が、前記傾斜方向に沿った配列方向に配列されており、
前記第１領域が、前記傾斜方向の傾斜における低側の領域であり、
前記第２領域が、前記傾斜方向の傾斜における高側の領域であることを特徴とする請求項１に記載の太陽光発電設備。
【請求項３】
前記第１領域が、冬至の正午の前後３時間の時点における前記影が落ち得る領域であることを特徴とする請求項１又は２に記載の太陽光発電設備。
【請求項４】
前記結晶系太陽電池パネルは、二次元配列された複数の結晶セルが、前記影の方向と並行する方向に並ぶ結晶セルどうしが接続されるように直列接続されたものであることを特徴とする請求項１〜３のうち何れか一項に記載の太陽光発電設備。
【請求項５】
前記結晶系太陽電池パネルは、受光面に対する平面視形状が長方形状となり、
前記薄膜系太陽電池パネルは、受光面に対する平面視形状が、１枚の前記結晶系太陽電池パネルの長辺長又は第１枚数の前記結晶系太陽電池パネルの合計長辺長を第１の整数で除した短辺長と、第２枚数の前記結晶系太陽電池パネルの合計短辺長を第２の整数で除した長辺長と、を有する長方形状となっており、
前記第１領域は、前記薄膜系太陽電池パネルが、その長辺方向に前記第２の整数、その短辺方向に前記第１の整数、というように二次元配列される領域であることを特徴とする請求項１〜４のうち何れか一項に記載の太陽光発電設備。
【発明の詳細な説明】
【技術分野】
【０００１】
本発明は、複数の太陽電池パネル支持構造が配列された太陽光発電設備に関する。
【背景技術】
【０００２】
地球環境問題に対する関心の高まりを受けて、温室効果ガスの削減等に効果が期待される太陽光発電が注目されている。太陽光発電では、支持架台で太陽電池パネルを支持した太陽電池パネル支持構造が屋外の設置場所に複数配列されて太陽光発電設備が構成される（例えば、特許文献１参照。）。
【先行技術文献】
【特許文献】
【０００３】
【特許文献１】特開２０１０−１９２７７７号公報
【発明の概要】
【発明が解決しようとする課題】
【０００４】
ここで、発電設備における発電容量の観点からは、太陽電池パネル支持構造の配列数が多いほど好ましい。太陽電池パネル支持構造の設置場所として広い用地が確保できれば多くの太陽電池パネル支持構造を配列することができるが、そのような広い用地の確保には困難さが伴うことが多い。
【０００５】
従って、本発明は、上記のような課題に着目し、限られた設置場所になるべく多くの太陽電池パネル支持構造が配列された太陽光発電設備を提供することを目的とする。
【課題を解決するための手段】
【０００６】
上記課題を解決するために、本発明の太陽光発電設備は、複数の太陽電池パネル支持構造が配列された太陽光発電設備であって、前記複数の太陽電池支持構造それぞれが、隣接する太陽電池パネル支持構造の影が落ち得る第１領域に少なくとも配置され、当該影の方向に延在する短冊状の薄膜セルが、その幅方向に複数配列された薄膜系太陽電池パネルと、前記第１領域から外れた第２領域に配置された結晶系太陽電池パネルと、を備えたものであることを特徴とする。
【０００７】
ここで、本発明の太陽光発電設備において、前記薄膜系太陽電池パネル及び前記結晶系太陽電池パネルが所定の傾斜方向に傾斜配置され、前記複数の太陽電池支持構造が、前記傾斜方向に沿った配列方向に配列されており、前記第１領域が、前記傾斜方向の傾斜における低側の領域であり、前記第２領域が、前記傾斜方向の傾斜における高側の領域であることが好適である。
【０００８】
また、本発明の太陽光発電設備において、前記第１領域が、冬至の正午の前後３時間の時点における前記影が落ち得る領域であることも好適である。
【０００９】
また、本発明の太陽光発電設備において、前記結晶系太陽電池パネルは、二次元配列された複数の結晶セルが、前記影の方向と並行する方向に並ぶ結晶セルどうしが接続されるように直列接続されたものであることも好適である。
【００１０】
また、本発明の太陽光発電設備において、前記結晶系太陽電池パネルは、受光面に対する平面視形状が長方形状となり、前記薄膜系太陽電池パネルは、受光面に対する平面視形状が、１枚の前記結晶系太陽電池パネルの長辺長又は第１枚数の前記結晶系太陽電池パネルの合計長辺長を第１の整数で除した短辺長と、第２枚数の前記結晶系太陽電池パネルの合計短辺長を第２の整数で除した長辺長と、を有する長方形状となっており、前記第１領域は、前記薄膜系太陽電池パネルが、その長辺方向に前記第２の整数、その短辺方向に前記第１の整数、というように二次元配列される領域であることも好適である。
【発明の効果】
【００１１】
本発明の太陽光発電設備では、薄膜系太陽電池パネルと結晶系太陽電池パネルとを有する太陽電池パネル支持構造が複数配列されている。ここで、薄膜系太陽電池パネルは、短冊状の薄膜セルが短辺方向に複数配列された構造を有している。そして、隣接する太陽電池パネル支持構造の影の方向に各薄膜セルが延在するように、影が落ち得る第１領域に薄膜系太陽電池パネルが配置される。このように配置された薄膜系太陽電池パネルは、複数の薄膜セルが直列接続された場合であっても、少なくとも各薄膜セルにおいて影の外側に出た部分の出力の合計が、薄膜系太陽電池パネルの出力として確保される。このように、上記の薄膜系太陽電池パネルは、影に起因する出力低下に対する耐性が高い。本発明の太陽光発電設備では、各太陽電池パネル支持構造において影が落ち得る第１領域に上記のように耐性の高い薄膜系太陽電池パネルが配置されるので、影の影響を抑えた上でなるべく間隔を詰めて太陽電池パネル支持構造を配列することが可能となる。つまり、本発明の太陽光発電設備では、配列密度を高めて複数の太陽電池パネル支持構造を設置することができるので、その高まった配列密度に応じて設置場所に多くの太陽電池パネル支持構造を配列することができる。即ち、本発明の太陽光発電設備によれば、限られた設置場所になるべく多くの太陽電池パネル支持構造を配列することができる。
【図面の簡単な説明】
【００１２】
【図１】本発明の一実施形態の太陽光発電設備を示す側面図である。
【図２】図１に示されている太陽電池パネル支持構造を示す側面図、及び受光面を見たときの平面図である。
【図３】図２に示されている平面図に、支持架台の透視構造を点描して重ねた図である。
【図４】図２中の領域Ａ１内の薄膜系太陽電池パネル及び結晶系太陽電池パネルを例に挙げて両者のセル構造を示した模式図である。
【図５】図１〜図４に示されている太陽光発電設備に対する比較例の太陽光発電設備を、図１や図２と同様の側面図で表した図である。
【図６】図１〜図４に示されている太陽光発電設備に対する変形例を、太陽電池パネル支持構造における支持架台に注目して示す図である。
【発明を実施するための形態】
【００１３】
本発明の一実施形態の太陽光発電設備について、以下に説明を行う。
【００１４】
図１は、本発明の一実施形態の太陽光発電設備を示す側面図である。
【００１５】
この太陽光発電設備１は、複数の太陽電池パネル支持構造１０が配列された設備である。各太陽電池パネル支持構造１０は、後述する薄膜系太陽電池パネル１１０及び結晶系太陽電池パネル１２０を支持架台１３０で所定の傾斜方向Ｄ１１に傾斜配置された状態で支持したものとなっている。そして、この太陽光発電設備１では、これら複数の太陽電池パネル支持構造１０が、上記の傾斜方向Ｄ１１に沿った配列方向Ｄ１２に配列されている。また、この配列方向Ｄ１２について、複数の太陽電池パネル支持構造１０の相互間には、所定のメンテナンススペースＭＳ１が設けられている。
【００１６】
図２は、図１に示されている太陽電池パネル支持構造を示す側面図、及び受光面を見たときの平面図である。また、図３は、図２に示されている平面図に、支持架台の透視構造を点描して重ねた図である。
【００１７】
本実施形態における太陽電池パネル支持構造１０は、１５枚の薄膜系太陽電池パネル１１０と、１２枚の結晶系太陽電池パネル１２０と、を支持架台１３０で支持した構造となっている。薄膜系太陽電池パネル１１０及び結晶系太陽電池パネル１２０は、何れも受光面に対する平面視形状が長方形状となっている。この太陽電池パネル支持構造１０では、上記の傾斜方向Ｄ１１に沿った配列方向Ｄ１２について、傾斜の低側に当たる配列方向Ｄ１２の前方側の第１領域１１に薄膜系太陽電池パネル１１０が配置されている。そして、この第１領域１１から外れた、傾斜の高側に当たる配列方向Ｄ１２の後方側の第２領域１２に結晶系太陽電池パネル１２０が配置されている。
【００１８】
本実施形態では、第１領域１１には、長方形状の薄膜系太陽電池パネル１１０が、その短辺方向Ｄ１３２が傾斜方向Ｄ１１に沿う、配列方向Ｄ１２の前方側から見たときの横置き状態で配置されている。
【００１９】
また、第２領域１２には、長方形状の結晶系太陽電池パネル１２０が、その長辺方向Ｄ１４１が傾斜方向Ｄ１１に沿う、配列方向Ｄ１２の前方側から見たときの縦置き状態で配置されている。
【００２０】
ここで、本実施形態では、長方形状の薄膜系太陽電池パネル１１０の短辺長Ｌ１が、１枚の長方形状の結晶系太陽電池パネル１２０の長辺長Ｌ２を第１の整数としての「３」で除した長さとなっている。また、薄膜系太陽電池パネル１１０の長辺長Ｌ３が、６枚の結晶系太陽電池パネル１２０の短辺長Ｌ４の合計を、第２の整数としての「５」で除した長さとなっている。
【００２１】
その上で、第１領域１１は、１５枚の薄膜系太陽電池パネル１１０が、長辺方向Ｄ１３１に５枚、短辺方向Ｄ１３２に３枚、というように二次元配列される領域となっている。また、第２領域１２は、１２枚の結晶系太陽電池パネル１２０が、短辺方向Ｄ１４２に６枚、長辺方向Ｄ１４１に２枚、というように二次元配列される領域となっている。この配列は、６枚×３枚の結晶系太陽電池パネル１２０の二次元配列のうち、配列方向Ｄ１２の最も前方側の一列の６枚を、５枚×３枚の薄膜系太陽電池パネル１１０の二次元配列に置き換えた配列となっている。
【００２２】
支持架台１３０は、図３に示されているように第１領域１１から第２領域１２に亘る３本の第１縦桟１３１（以下、配列方向Ｄ１２の前方側から見たときに縦に延在する桟を縦桟、横に延在する桟を横桟と呼称する。）を備えている。
【００２３】
第１領域１１では、これら３本の第１縦桟１３１と直交する２本の第１横桟１３２が設けられ、更に、これら２本の第１横桟１３２と直交する第２縦桟１３３が設けられている。第２縦桟１３３は、横置きにされる１枚の薄膜系太陽電池パネル１１０の下を２本が横切るように、合計で１０本が設けられている。第１領域１１では、各２本の第２縦桟１３３の上に、短辺方向Ｄ１３２に３枚の薄膜系太陽電池パネル１１０が載置され、これら３枚の薄膜系太陽電池パネル１１０が２本の第２縦桟１３３によって支持される。
【００２４】
第２領域１２では、３本の第１縦桟１３１と直交する第２横桟１３４が設けられている。第２横桟１３４は、縦置きにされる１枚の結晶系太陽電池パネル１２０の下を２本が横切るように、合計で４本が設けられている。第２領域１２では、各２本の第２横桟１３４の上に、短辺方向Ｄ１４２に６枚の結晶系太陽電池パネル１２０が載置され、これら６枚の結晶系太陽電池パネル１２０が２本の第２横桟１３４によって支持される。
【００２５】
このように第１縦桟１３１、第１横桟１３２、第２縦桟１３３、及び第２横桟１３４で格子状に組まれ、薄膜系太陽電池パネル１１０及び結晶系太陽電池パネル１２０を支持する格子構造が、３本の縦杭１３５で支えられている。各縦杭１３５は、設置場所の大地Ｇ１に立設され、その先端が第１縦桟１３１に接続されている。また、各縦杭１３５からは、傾斜方向Ｄ１１（つまり、配列方向Ｄ１２）の前後それぞれの方向に枝梁１３６が延出しており、各枝梁１３６の先端が、第１縦桟１３１に接続されている。このように、３本の縦杭１３５は、第１縦桟１３１を介して上記の格子構造を支えている。
【００２６】
ここで、図１に示されているように、太陽電池パネル支持構造１０における第１領域１１は、隣接する太陽電池パネル支持構造１０の影ＳＤ１が落ちる領域となっている。更に詳細には、第１領域１１は、冬至の正午の前後３時間の時点における太陽Ｓ１について、隣接する太陽電池パネル支持構造１０の影ＳＤ１が落ちる領域となっている。また、本実施形態では、第１領域１１における、傾斜方向Ｄ１１（つまり、配列方向Ｄ１２）の後方側の縁１１ａが、このときの影ＳＤ１の縁よりも更に後方側に位置し、薄膜系太陽電池パネル１１０の一部はこのときの影ＳＤ１の外に出る領域となっている。
【００２７】
更に、本実施形態では、薄膜系太陽電池パネル１１０及び結晶系太陽電池パネル１２０それぞれが、次のようなセル構造を有している。
【００２８】
図４は、図２中の領域Ａ１内の薄膜系太陽電池パネル及び結晶系太陽電池パネルを例に挙げて両者のセル構造を示した模式図である。
【００２９】
薄膜系太陽電池パネル１１０は、ガラス基板１１１の表面に、短冊状の発電用の薄膜セル１１２が蒸着され、更に不図示の層構造が重ねられた構造を有している。このとき短冊状の薄膜セル１１２は、隣接する太陽電池パネル支持構造１０の影ＳＤ１が落ちる方向（以下、影ＳＤ１の方向と呼ぶ）Ｄ１５に延在するように配置される。これは、短冊状の薄膜セル１１２が、横置きされた長方形状の薄膜系太陽電池パネル１１０の短辺方向Ｄ１３２に沿って配置されることを意味する。そして、薄膜系太陽電池パネル１１０では、この短冊状の薄膜セル１１２が、その幅方向Ｄ１６、即ち、薄膜系太陽電池パネル１１０の長辺方向Ｄ１３１に複数配列されている。これら複数の薄膜セル１１２は、直線矢印Ｄ１７で模式的に示したように、電気的に直列接続されている。
【００３０】
結晶系太陽電池パネル１２０では、ガラス基板１２１の表面に、薄板状にスライスカットされて形成された結晶セル１２２が複数、格子状に二次元配列されている。結晶系太陽電池パネル１２０は、このような構造に、更に不図示の層構造が重ねられた構造を有している。そして、この結晶系太陽電池パネル１２０では、複数の結晶セル１２２が直列接続されている。即ち、これら複数の結晶セル１２２は、上記の影ＳＤ１の方向Ｄ１５と並行する直線矢印Ｄ１８で模式的に示したように、結晶系太陽電池パネル１２０の長辺方向Ｄ１４１に並ぶ結晶セル１２２どうしが接続されるように直列接続されている。そして、直線矢印Ｄ１９で模式的に示したように、短辺方向Ｄ１４２に並ぶ結晶セル１２２の列どうしが直列接続されて、複数の結晶セル１２２が全体として直列接続されている。
【００３１】
以上に説明した本実施形態の太陽光発電設備１によれば、少なくとも各薄膜セル１１２において影ＳＤ１の外側に出た部分の出力の合計が、薄膜系太陽電池パネル１１０の出力として確保される。このように、上記の薄膜系太陽電池パネル１１０は、影ＳＤ１に起因する出力低下に対する耐性が高い。本実施形態の太陽光発電設備１では、各太陽電池パネル支持構造１０において影ＳＤ１が落ち得る第１領域１１に耐性の高い薄膜系太陽電池パネル１１０が配置される。このため、影ＳＤ１の影響を抑えた上でなるべく間隔を詰めて太陽電池パネル支持構造１０を配列することが可能となる。
【００３２】
図５は、図１〜図４に示されている太陽光発電設備に対する比較例の太陽光発電設備を、図１や図２と同様の側面図で表した図である。尚、この図５では、図１や図２に示されている構成要素と同等な構成要素については、図１や図２と同じ符号が付されており、以下では、これら同等な構成要素の重複説明は省略する。
【００３３】
この比較例の太陽光発電設備５では、各太陽電池パネル支持構造５０において、傾斜の低側に当たる配列方向Ｄ１２の前方側の第１領域１１には、本実施形態とは異なり結晶系太陽電池パネル５１０が配置されている。この比較例では、この第１領域１１に配置される結晶系太陽電池パネル５１０は、第２領域１２に配置される結晶系太陽電池パネル１２０と同等なものとなっている。このため、この比較例における支持架台５２０では、第１領域１１にも、第２領域１２に配置されるものと同じ２本の第２横桟１３４が第１縦桟１３１と直交して設けられている。これら２本の第２横桟１３４が、第１領域１１の結晶系太陽電池パネル５１０を支持している。
【００３４】
ここで、比較例の太陽光発電設備５では、冬至の正午の前後３時間の時点における太陽Ｓ１について、隣接する太陽電池パネル支持構造５０の影ＳＤ１が第１領域１１にも落ちないように、広い間隔を開けて太陽電池パネル支持構造５０が配列されている。太陽電池パネル支持構造５０の相互間のこの広い間隔が、メンテナンススペースＭＳ５として利用される。図５の比較例では、上記時点における影ＳＤ１における配列方向Ｄ１２の後方側の縁が、第１領域１１における配列方向Ｄ１２の前方側の縁と一致するように構成されている。即ち、上記時点の影ＳＤ１が第１領域１１に掛からない限界の位置まで太陽電池パネル支持構造５０の相互間のメンテナンススペースＭＳ５が狭められている。
【００３５】
このように比較例の太陽光発電設備５は、支持架台５２０で支持されているどの太陽電池パネルにも、上記時点における影ＳＤ１が落ちないことを前提としている。このため、比較例の太陽光発電設備５では、図５に示されている状態よりもメンテナンススペースＭＳ５を狭めることはできず、その結果、この状態以上に、設置場所における太陽電池パネル支持構造５０の配列密度を高めることはできない。
【００３６】
これに対し、図１〜図４に示されている本実施形態の太陽光発電設備１では、上述したように、影ＳＤ１の影響を抑えた上でなるべく間隔を詰め太陽電池パネル支持構造１０を配列することが可能となる。従って、本実施形態の太陽光発電設備１では、配列密度を高めて複数の太陽電池パネル支持構造１０を設置することができるので、その高まった配列密度に応じて設置場所に多くの太陽電池パネル支持構造１０を配列することができる。即ち、本実施形態の太陽光発電設備１によれば、限られた設置場所になるべく多くの太陽電池パネル支持構造１０を配列することができる。
【００３７】
ここで、一般的に太陽電池パネルの配置としては傾斜配置が採用されることが多い。
本実施形態の太陽光発電設備１では、この傾斜配置で薄膜系太陽電池パネル１１０及び結晶系太陽電池パネル１２０が配置され、複数の太陽電池パネル支持構造１０が、傾斜方向Ｄ１１に沿った配列方向Ｄ１２に配列されている。そして、このような構造において、薄膜系太陽電池パネル１１０が配置される第１領域１１が、隣接する太陽電池パネル支持構造１０の影ＳＤ１が落ち易い、傾斜における低側の領域となっている。従って、本実施形態の太陽光発電設備１によれば、このような傾斜配置を採用した上で、限られた設置場所になるべく多くの太陽電池パネル支持構造を配列することができる。
【００３８】
また、本実施形態の太陽光発電設備１では、上記の第１領域１１が、冬至の正午の前後３時間の時点における上記の影ＳＤ１が落ち得る領域となっている。つまり、薄膜系太陽電池パネル１１０が配置される第１領域１１として、一年のうちで影が最も長くなる時期において更に影が長くなる時点の影が落ち得る領域が採用されている。これにより、影の影響は、一年を通じて薄膜系太陽電池パネル１１０で受けて、第２領域１２の結晶系太陽電池パネル１２０には影響が及び難いように構成されている。
【００３９】
また、本実施形態の太陽光発電設備１では、結晶系太陽電池パネル１２０において二次元配列された複数の結晶セル１２２が、影ＳＤ１の方向Ｄ１５と並行する長辺方向Ｄ１４１に並ぶ結晶セル１２２どうしが接続されるように直列接続されている。
【００４０】
また、本実施形態の太陽光発電設備１では、長方形状の薄膜系太陽電池パネル１１０の短辺長Ｌ１が、１枚の結晶系太陽電池パネル１２０の長辺長を第１の整数としての「３」で除した長さとなっている。また、薄膜系太陽電池パネル１１０の長辺長Ｌ３が、６枚の結晶系太陽電池パネル１２０の短辺長Ｌ４の合計を第２の整数としての「５」で除した長さとなっている。そして、第１領域１１は、薄膜系太陽電池パネル１１０が、その長辺方向Ｄ１３１に５枚、その短辺方向Ｄ１３２に３枚、というように二次元配列される領域となっている。
【００４１】
本実施形態の太陽光発電設備１によれば、薄膜系太陽電池パネル１１０が配置される第１領域１１として、結晶系太陽電池パネル１２０の長辺方向Ｄ１４１に１枚分で短辺方向Ｄ１４２に６枚分の配列領域を採用することができる。つまり、薄膜系太陽電池パネル１１０が配置される第１領域１１として、結晶系太陽電池パネル１２０の配列領域を用いることができる。このため、例えば、図５に比較例として示されている、結晶系太陽電池パネル１２０，５１０の支持用の支持架台５２０の一部を薄膜系太陽電池パネル１１０の支持用に転用し、他の部分を結晶系太陽電池パネル１２０の支持用に用いる、等といった運用が可能となる。このように既存の支持架台を利用して、薄膜系太陽電池パネル１１０及び結晶系太陽電池パネル１２０の両方を支持した運用が可能となるので設置コストの低減等を図ることができる。
【００４２】
次に、以上に説明した本実施形態の太陽光発電設備１に対する変形例について説明する。この変形例は、太陽電池パネル支持構造における支持架台の構造が、本実施形態の太陽光発電設備１とは異なっている。以下では、この相違点に注目して変形例について説明する。
【００４３】
図６は、図１〜図４に示されている太陽光発電設備に対する変形例を、太陽電池パネル支持構造における支持架台に注目して示す図である。この図６では、変形例の太陽電池パネル支持構造２０における支持架台２００が、図１や図２と同様の側面図で示されている。また、この図６では、図１や図２に示されている構成要素と同等な構成要素については、図１や図２と同じ符号が付されており、以下では、これら同等な構成要素の重複説明は省略する。
【００４４】
この変形例の太陽電池パネル支持構造２０では、支持架台２００が、第１領域２１の薄膜系太陽電池パネル１１０を支持する薄膜系支持架台２１０と、第２領域２２の結晶系太陽電池パネル１２０を支持する結晶系支持架台２２０と、に分かれている。
【００４５】
薄膜系支持架台２１０は、図３に示されている第１縦桟１３１における第１領域１１の通過部分に相当する薄膜系第１縦桟２１１を、図３に示されている第１領域１１における支持架台構造と同様に３本備えている。そして、これら３本の薄膜系第１縦桟２１１と直交するように、２本の第１横桟１３２が設けられ、更に、これら２本の第１横桟１３２と直交する第２縦桟１３３が１０本設けられている。これら１０本の第２縦桟１３３によって１５枚の薄膜系太陽電池パネル１１０が支持される。
【００４６】
そして、薄膜系支持架台２１０では、薄膜系第１縦桟２１１、第１横桟１３２、及び第２縦桟１３３で格子状に組まれ、薄膜系太陽電池パネル１１０を支持する格子構造が、３本の薄膜系縦杭２１２で支えられている。各薄膜系縦杭２１２は、設置場所の大地Ｇ１に立設され、その先端が薄膜系第１縦桟２１１に接続されている。また、各薄膜系縦杭２１２からは、傾斜方向Ｄ１１（つまり、配列方向Ｄ１２）の前後それぞれの方向に薄膜系枝梁２１３が延出しており、各薄膜系枝梁２１３の先端が、薄膜系第１縦桟２１１に接続されている。このように、３本の薄膜系縦杭２１２は、薄膜系第１縦桟２１１を介して上記の格子構造を支えている。
【００４７】
結晶系支持架台２２０は、図３に示されている第１縦桟１３１における第２領域１２の通過部分に相当する結晶系第１縦桟２２１を、図３に示されている第２領域１２における支持架台構造と同様に３本備えている。そして、これら３本の結晶系第１縦桟２２１と直交するように、４本の第２横桟１３４が設けられている。これら４本の第２横桟１３４によって１２枚の結晶系太陽電池パネル１２０が支持される。
【００４８】
そして、結晶系支持架台２２０では、結晶系第１縦桟２２１及び第２横桟１３４で格子状に組まれ、結晶系太陽電池パネル１２０を支持する格子構造が、３本の結晶系縦杭２２２で支えられている。各結晶系縦杭２２２は、設置場所の大地Ｇ１に立設され、その先端が結晶系第１縦桟２２１に接続されている。また、各結晶系縦杭２２２からは、傾斜方向Ｄ１１（つまり、配列方向Ｄ１２）の前後それぞれの方向に結晶系枝梁２２３が延出しており、各結晶系枝梁２２３の先端が、結晶系第１縦桟２２１に接続されている。このように、３本の結晶系縦杭２２２は、結晶系第１縦桟２２１を介して上記の格子構造を支えている。
【００４９】
また、薄膜系支持架台２１０における薄膜系縦杭２１２の大地Ｇ１からの高さと、結晶系支持架台２２０における結晶系縦杭２２２の大地Ｇ１からの高さは、薄膜系太陽電池パネル１１０及び結晶系太陽電池パネル１２０が連続した傾斜面を構成する高さとなっている。
【００５０】
この太陽電池パネル支持構造２０を有する変形例の太陽光発電設備でも、隣接する太陽電池パネル支持構造２０の影ＳＤ１が落ち得る第１領域２１に耐性の高い薄膜系太陽電池パネル１１０が配置される。このため、影ＳＤ１の影響を抑えた上でなるべく間隔を詰めて太陽電池パネル支持構造２０を配列することが可能となる。
【００５１】
従って、この変形例の太陽光発電設備によっても、上述した図１〜図４に示されている太陽光発電設備１と同様に、限られた設置場所になるべく多くの太陽電池パネル支持構造２０を配列することができることはいうまでもない。
【００５２】
尚、本発明にいう太陽電池パネル支持構造における支持架台は、この変形例以外の構成であってもよく、その具体的な形態や構成を問うものではない。
【００５３】
また、以上に説明した実施形態は本発明の代表的な形態を示したに過ぎず、本発明は、この実施形態に限定されるものではない。即ち、本発明の骨子を逸脱しない範囲で種々変形して実施することができる。かかる変形によってもなお本発明の太陽光発電設備の構成を具備する限り、勿論、本発明の範疇に含まれるものである。
【００５４】
例えば、上述した実施形態や変形例では、本発明にいう太陽電池パネル支持構造の一例として、１５枚の薄膜系太陽電池パネル１１０と１２枚の結晶系太陽電池パネル１２０を支持する太陽電池パネル支持構造１０，５０が例示されている。しかしながら、本発明にいう太陽電池パネル支持構造は、これらに限るものではなく、支持される薄膜系太陽電池パネルや結晶系太陽電池パネルの具体的な枚数等は適宜に設定し得る。
【００５５】
また、上述した実施形態や変形例では、本発明にいう太陽光発電設備の一例として、傾斜方向Ｄ１１に沿った配列方向Ｄ１２に複数の太陽電池パネル支持構造１０,２０が配列された太陽光発電設備１が例示されている。ここで、実施形態や変形例では、配列方向Ｄ１２についての具体的な配列数には言及していないが、もちろん、この配列数は、設置場所の状況に応じて適宜に設定し得るものである。また、本発明にいう太陽電池パネル支持構造の配列形態についても、傾斜方向に沿った配列方向だけでなく、その直交方向も含めた二次元的な配列形態であってもよい。
【符号の説明】
【００５６】
１    太陽光発電設備
１０，２０    太陽電池パネル支持構造
１１，２１    第１領域
１２，２２    第２領域
１１０    薄膜系太陽電池パネル
１１１，１２１    ガラス基板
１１２    薄膜セル
１２０    結晶系太陽電池パネル
１２２    結晶セル
１３０，２００    支持架台
１３１    第１縦桟
１３２    第１横桟
１３３    第２縦桟
１３４    第２横桟
１３５    縦杭
１３６    枝梁
２１０    薄膜系支持架台
２１１    薄膜系第１縦桟
２１２    薄膜系縦杭
２１３    薄膜系枝梁
２２０    結晶系支持架台
２２１    結晶系第１縦桟
２２２    結晶系縦杭
２２３    結晶系枝梁
Ｄ１１    傾斜方向
Ｄ１２    配列方向
Ｄ１３１，Ｄ１４１    長辺方向
Ｄ１３２，Ｄ１４２    短辺方向
Ｇ１    大地
Ｌ１，Ｌ４    短辺長
Ｌ２，Ｌ３    長辺長
Ｓ１    太陽
ＳＤ１  影
ＭＳ１  メンテナンススペース
【図１】
2018117487.tif 000003
【図２】
2018117487.tif 000004
【図３】
2018117487.tif 000005
【図４】
2018117487.tif 000006
【図５】
2018117487.tif 000007
【図６】
2018117487.tif 000008